(57)【要約】【課題】  外部入力端子の有無にかかわらず、補聴器を調整するとともに、方向性も考慮した調整を可能とする。【解決手段】  調整者が、ＰＣ３０の入力装置３４を使用して環境音再生プログラム４４の実行を指示すると、処理装置３２で環境音再生プログラム４４が実行され、環境音選択画面が表示装置３６に表示される。調整者が必要な環境音を選択すると、環境音再生プログラム４４によって該当するデータファイルが環境音データベース４２から抽出され、処理装置３２で実行・再生される。これにより、該当する環境音がスピーカ１２Ａ〜１２Ｄから出力される。再生された環境音は、補聴器１４Ｒ，１４Ｌを介して装用者１６により聴取される。装用者１６は、環境音の聞こえ具合を調整者に知らせる。調整者は、装用者１６の聞こえ具合に応じて、調整用画面を参照しながら入力装置３４により補聴器を調整する。【選択図】図１
2005286876.tif 000002
【特許請求の範囲】
【請求項１】
補聴器を調整するための環境音を、補聴器の装用者に提示するための環境音提示装置であって、
前記装用者に対して、少なくとも左右にスピーカを配置した防音室，
前記スピーカで再生される多数の環境音のデータを集積した環境音データベース，
コンピュータシステムによって実行され、前記環境音データベースの環境音データのうち、指定されたものを抽出して前記スピーカのうちの該当するものに出力して再生するための環境音再生手段，
を備えたことを特徴とする環境音提示装置。
【請求項２】
前記環境音を再生するスピーカを、前記装用者に対して、前後左右に配置したことを特徴とする請求項１記載の環境音提示装置。
【請求項３】
難聴者と健常者の聞こえ具合を比較するためのシミュレーション手段を備えたことを特徴とする請求項１又は２記載の環境音提示装置。
【請求項４】
前記環境音データベースが、装用者に対して方向性をもって聴取される環境音のデータを含むことを特徴とする請求項１〜３のいずれかに記載の環境音提示装置。
【請求項５】
請求項１〜４のいずれかに記載の環境音提示装置であって、
環境画像を装用者に対して表示する表示手段，
環境音データベースに集積された環境音に対応する環境画像のデータを集積した環境画像データベース，
環境音再生手段によって再生される環境音に対応する環境画像を前記環境画像データベースから抽出し、前記表示手段に出力して再生する環境画像再生手段，
を備えたことを特徴とする環境音提示装置。
【請求項６】
前記コンピュータシステムによって実行され、請求項１〜５のいずれかに記載の環境音提示装置によって提示された環境音を聴取した装用者の聞こえ具合に応じて、前記補聴器を調整する補聴器調整手段，
を備えたことを特徴とする補聴器調整装置。
【発明の詳細な説明】
【技術分野】
【０００１】
本発明は、補聴器の調整（フィッティング）を行うための環境音を提示する環境音提示装置及び補聴器調整装置に関し、更に具体的にはデジタル補聴器の調整に好適な環境音提示の改良に関するものである。
【背景技術】
【０００２】
補聴器の調整を行う従来技術としては、例えば下記特許文献１に記載の環境音提示装置がある。これによれば、環境音ファイル記憶部に記憶されている複数の環境音信号から、いずれか一つの環境音信号が環境音信号選択部によって選択される。選択された環境音信号は、環境音信号変換部でアナログ信号に変換され、キャリブレータを介して補聴器の外部入力端子に入力される。このようにして、補聴器の装用者に環境音が提示される。
【特許文献１】特開２０００−３０８１９７公報
【発明の開示】
【発明が解決しようとする課題】
【０００３】
しかしながら、以上のような背景技術には次のような不都合がある。
（１）補聴器に外部入力端子がある場合に限られ、外部入力端子がない補聴器には適用できない。
（２）装用者に対する音の方向性を考慮した調整が困難である。例えば、話し声が装用者の前方から聞こえる場合もあれば、後方から聞こえる場合もあり、それらの各々について最適となる調整を行うことができない。
【０００４】
本発明は、以上の点に着目したもので、外部入力端子の有無にかかわらず、方向性も考慮した補聴器の調整を良好に行うことができる環境音提示装置及び補聴器調整装置を提供することを、その目的とするものである。
【課題を解決するための手段】
【０００５】
前記目的を達成するため、本発明は、補聴器を調整するための環境音を、補聴器の装用者に提示するための環境音提示装置であって、前記装用者に対して、少なくとも左右にスピーカを配置した防音室，前記スピーカで再生される多数の環境音のデータを集積した環境音データベース，コンピュータシステムによって実行され、前記環境音データベースの環境音データのうち、指定されたものを抽出して前記スピーカのうちの該当するものに出力して再生するための環境音再生手段，を備えたことを特徴とする。
【０００６】
主要な形態の一つは、前記環境音を再生するスピーカを、前記装用者に対して、前後左右に配置したことを特徴とする。他の形態によれば、難聴者と健常者の聞こえ具合を比較するためのシミュレーション手段を備えたことを特徴とする。あるいは、前記環境音データベースが、装用者に対して方向性をもって聴取される環境音のデータを含むことを特徴とする。
【０００７】
更に他の形態は、前記いずれかの環境音提示装置であって、環境画像を装用者に対して表示する表示手段，環境音データベースに集積された環境音に対応する環境画像のデータを集積した環境画像データベース，環境音再生手段によって再生される環境音に対応する環境画像を前記環境画像データベースから抽出し、前記表示手段に出力して再生する環境画像再生手段，を備えたことを特徴とする。
【０００８】
本発明の補聴器調整装置は、前記コンピュータシステムによって実行され、前記いずれかの環境音提示装置によって提示された環境音を聴取した装用者の聞こえ具合に応じて、前記補聴器を調整する補聴器調整手段，を備えたことを特徴とする。本発明の前記及び他の目的，特徴，利点は、以下の詳細な説明及び添付図面から明瞭になろう。
【発明の効果】
【０００９】
本発明によれば、補聴器を調整するための多数の環境音が、環境音データベースに集積され、これらのうちの適宜のものが、防音室内に配置されたスピーカから再生される。このため、外部入力端子の有無に関係なく、補聴器の調整を行うことができる。また、スピーカが防音室内左右あるいは左右前後などに配置されるので、装用者に対して特定の方向から環境音再生を行うことができ、方向性を考慮した補聴器の調整を行うことができる。
【発明を実施するための最良の形態】
【００１０】
以下、本発明を実施するための最良の形態を、実施例に基づいて詳細に説明する。
【実施例１】
【００１１】
最初に、図１〜図３を参照しながら本発明の実施例１を説明する。図１には、実施例１の全体構成が示されている。同図に示すように、防音室１０が用意される。この防音室１０の四隅には、環境音を再生するためのスピーカ１２Ａ〜１２Ｄがそれぞれ配置されている。調整対象の補聴器１４Ｒ，１４Ｌを装用した装用者１６は、それらスピーカ１２Ａ〜１２Ｄの概略中心（音場の中心）に位置する。スピーカ１２Ａ〜１２Ｄは、オーディオアンプ１８及びＩ／Ｆ２０を介してＰＣ（パソコン）３０に接続されており、補聴器１４Ｒ，１４ＬはＩ／Ｆ２２を介してＰＣ３０に接続されている。
【００１２】
ＰＣ３０は、ＣＰＵ，ＲＡＭ，ＲＯＭを含む処理装置３２を中心に構成されており、キーボードやマウスなどの入力装置３４，液晶ディスプレイなどの表示装置３６，プリンタなどの出力装置３８，ハードディスク４０を備えている。また、上述したＩ／Ｆ２０，２２は、処理装置３２に接続されている。その他、必要に応じて、ＤＶＤドライブなどが接続される。
【００１３】
ハードディスク４０には、各種の環境音のデータファイルを集積した環境音データデース４２，所望の環境音を選択して再生するための環境音再生プログラム４４，補聴器１４Ｒ，１４Ｌを調整するための補聴器調整プログラム４６が格納されている。また、調整データ４８が保存される領域も確保されている。
【００１４】
以上のうち、環境音データベース４２には、図２に示すような環境音のデータファイルが含まれている。同図中、例えばファイルＦ00はスピーカの音圧校正用音声で、左右前後の各スピーカ１２Ａ〜１２Ｄ毎にファイルが用意されている。この音圧校正用音声を利用して、４つのスピーカ１２Ａ〜１２Ｄの音の強さや位相が概略同じになるように、オーディオアンプ１８の調整が行われる。
【００１５】
ファイルＦ01〜Ｆ03は男女の会話であり、声の大きさが異なるように設定されている。このような会話のファイルは、女性と子供の会話，老齢の男女の会話など、必要に応じて適宜設けられる。ファイルＦ11〜Ｆ14は会話と交通騒音であり、交通騒音の程度が異なるように設定されている。交通騒音の代わりに、電車の音，パーティ会場などにおける雑然とした会話音，などとしたファイルも適宜用意される。ファイルＦ21は、男女の会話がステレオとなっている。例えば、男性の声が前左のスピーカ１２Ａから出力され、女性の声が前右のスピーカ１２Ｂから出力されるという具合である。もちろん、その逆でもよいし、後方のスピーカ１２Ｃ，１２Ｄから出力されるようにしてもよい。
【００１６】
ファイルＦ22，Ｆ23は、会話と交通騒音であるが、会話が装用者１６の前方から聞こえる場合と後方から聞こえる場合で異なる。ファイルＦ31は、小説などの朗読のファイルで、例えば４つのスピーカ１２Ａ〜１２Ｄから順次右回りで音声が出力されるようになっている。左回りのファイルも必要に応じて用意される。ファイルＦ41〜Ｆ43は、特定の周波数帯域の音である。広帯域の音としては、雨音，炭酸水，コピー機，飛行機などがある。高周波帯域の音としては、風鈴，鈴虫，子猫，電話，シャワーなどがある。低周波の音としては、水槽，乾燥機，犬などがある。ファイルＦ51〜Ｆ54は、特定周波数の音である。例えば、ファイルＦ51は周波数５００Ｈｚの掃除機の音，ファイルＦ52は周波数１０００Ｈｚのヘアドライヤの音という具合である。
【００１７】
その他、必要に応じて、目覚まし時計の音，水を流す音，洗濯機の音，ドアチャイムの音，ショッピングモールの音，デパートの音，電車内の音，電話のベル音などが用意される。各ファイルの音の長さは、例えば５０秒，２０秒，５秒など、適宜設定される。更に、各ファイルの音声を４つのスピーカ１２Ａ〜１２Ｄのいずれから出力するかについても、適宜設定してよい。
【００１８】
次に、環境音再生プログラム４４は、
ａ，環境音データベース４２に蓄積されている環境音の選択画面を表示装置３６に表示する機能，
ｂ，該表示画面上で入力装置３４により選択された環境音のデータファイルを、環境音データベース４２から抽出して処理装置３２に送るとともに、Ｉ／Ｆ２０及びオーディオアンプ１８を介してスピーカ１２Ａ〜１２Ｄのうちの該当するもので再生・出力する機能，
をそれぞれ備えている。
【００１９】
補聴器調整プログラム４６は、補聴器１４Ｒ，１４Ｌのフィッティング（聴こえかたの調整）を行うためのもので、通常は補聴器１４Ｒ，１４Ｌのメーカーから提供されるものである。具体的には、利得（音量），ラウドネス，明瞭度，指向性，ノイズリダクションなどの調整が行われる。なお、デジタルとアナログなど、補聴器のタイプによって調整項目も異なってくる。
【００２０】
調整データ４８は、補聴器１４Ｒ，１４Ｌの調整を行った結果のデータで、調整を行った日時，調整の内容などのデータが装用者の氏名，住所などの顧客データとともに管理される。なお、図１中の難聴シミュレーションプログラム６０については後述する。
【００２１】
次に、本実施例の動作を説明する。補聴器１４Ｒ，１４Ｌの調整の準備として、各スピーカ１２Ａ〜１２Ｄの音圧校正が、例えば１週間に１回という具合で行われる。本システムを操作する調整者（オペレータ）は、装用者１６の位置にサウンドレベルメータ（図示せず）を設置するとともに、ＰＣ３０の入力装置３４を使用して環境音再生プログラム４４の実行を指示する。すると、処理装置３２で環境音再生プログラム４４が実行され、環境音選択画面が表示装置３６に表示される。調整者は、該画面を参照し、音圧校正用音声を選択する。すると、環境音再生プログラム４４によって、該当する音圧校正用音声ファイルＦ00が環境音データベース４２から抽出され、処理装置３２に送られる。処理装置３２は、音声校正用音声ファイルＦ00を実行し、音声校正用音声を再生する。これにより、スピーカ１２Ａ〜１２Ｄから音圧校正用の音声信号が出力され、サウンドレベルメータを利用して音圧が校正される。すなわち、スピーカ１２Ａ〜１２Ｄの音圧レベルが同じになるように、オーディオアンプ１８を調整する。
【００２２】
次に、図３のシーケンス図も参照しながら、補聴器１４Ｒ，１４Ｌの調整について説明する。調整者が環境音再生プログラム４４を処理装置３２で実行すると、環境音選択画面が表示装置３６に表示される（ステップＳ１０）。一方、調整対象の補聴器１４Ｒ，１４Ｌを耳に取り付けた装用者１６は、図１に示すように、所定位置に座る。調整者は、補聴器１４Ｒ，１４Ｌの調整用端子（図示せず）をＰＣ３０のＩ／Ｆ２２に接続するとともに、ＰＣ３０において補聴器調整プログラム４６を実行する。これにより、表示装置３６に調整用画面が表示される（ステップＳ１２）。
【００２３】
次に、調整者は、ＰＣ３０の表示装置３６の環境音選択画面を参照し、必要な環境音を選択する（ステップＳ２０）。すると、環境音再生プログラム４４によって該当するデータファイルが環境音データベース４２から抽出され、処理装置３２で実行・再生される。これにより、該当する環境音がスピーカ１２Ａ〜１２Ｄから出力される。装用者１６は、補聴器１４Ｒ，１４Ｌを介して再生された環境音を聴取する（ステップＳ２２）。装用者１６は、環境音の聞こえ具合を調整者に知らせる（ステップＳ２４）。調整者は、装用者１６の聞こえ具合に応じて、調整用画面を参照しながら入力装置３４により調整作業を行う（ステップＳ２６）。例えば、利得を全体として下げる，高周波域を上げるなどの作業を行う。以上の手順を、環境音を変えながら繰り返し行う。例えば、次のような調整を行う。
【００２４】
（１）データファイルＦ01〜Ｆ03による調整・・・男女の会話を、大きさを変えて装用者１６に提示する。主として利得の調整が行なわれる。データファイルＦ02の通常の大きさの会話を提示することにより、補聴器１４Ｌ，１４Ｒを装用した場合と、装用しない場合の聞こえ具合を比較することができる。また、補聴器使用時の語音明瞭度の調整を行うことができる。更に、装用者１６が従来リニア増幅型の補聴器を使用しており、新たにＷＤＲＣ（ワイドダイナミックレンジコンプレッション）型の補聴器を装用するような場合、会話の大きさを変更して、両補聴器の聞こえ具合を比較することができる。ＷＤＲＣ型の補聴器は、小さい声の増幅率が高く、大きい声の増幅率が低いというノンリニアの増幅特性を有しており、声の大きさを変更することで、その特性を検証することができる。
【００２５】
（２）データファイルＦ11〜F14による調整・・・交差点などの交通騒音下での会話を、騒音レベルを変えて装用者１６に提示する。主として、ノイズリダクションの調整が行われる。これにより、騒音下での会話の聴取機能について、どの程度改善されるものかを装用者が検証しあるいは限界を知ることができる。また、補聴器１４Ｒ，１４Ｒの一方のみを装用することで、環境騒音下での片耳装用と両耳装用の聴取の相違を検証することができ、環境騒音の種類を変更することで、環境騒音の相違による聴取の違いを検証することもできる。なお、本実施例では、騒音と会話が一つのデータファイルとなっているが、会話と騒音を別個のデータファイルで構成し、会話に対する騒音のレベルを変化してミキシング再生するようにしてもよい。
【００２６】
（３）データファイルＦ21〜Ｆ23による調整・・・会話の音声を特定方向から装用者１６に提示する。データファイルＦ21により男女の会話を左右のスピーカ１２Ａ，１２Ｂからそれぞれ提示し、データファイルＦ22，Ｆ23により交通騒音下の会話を前方もしくは後方から提示することで、指向性の調整，左右補聴器のバランスチェックを行うことができる。また、方耳装用と両耳装用の場合を比較することで、両耳装用の場合のほうが音源の方向が判断しやすいこと，後方の会話の聴取も容易になることを検証できる。
【００２７】
（４）データファイルＦ31による調整・・・前方左スピーカ１２Ａ→前方右スピーカ１２Ｂ→後方右スピーカ１２Ｃ→後方左スピーカ１２Ｄの順に朗読の音声が提示される。朗読を４つのスピーカから巡回して提示することで、音源の方向感を確認することができる。
【００２８】
（５）データファイルＦ41〜Ｆ43による調整・・・笑い声，パトカーのサイレンの音，エアコンの稼動音などの周波数帯域ごとの環境音を提示する。これにより、周波数帯域毎の利得を調整し、更にはラウドネスや音質を調整することができる。
【００２９】
（６）データファイルＦ51〜Ｆ54による調整・・・掃除機，ヘアドライヤ，電気カミソリ，警報ベルなどの個別の環境音を提示する。これにより、特定周波数の音の聴取の検証を行うことができる。
【００３０】
（７）様々な環境音による調整・・・例えば、病院待合室，ショッピングモール，幹線道路，レストラン，パチンコ店，音楽ホール，デパート食品売り場等の各種の生活環境における環境音を提示することで、実施に装用者１６がそれらの場所に出向くことなく、簡便にシミュレーションを行うことができる。
【００３１】
以上のようにして補聴器１４Ｒ，１４Ｌの調整が行われ、調整内容や調整結果のデータ４８が得られる。この調整データ４８は、装用者１６である顧客のデータとともに管理される。
【００３２】
このように、本実施例によれば、装用者の左右前後にスピーカを配置しているので、非常に臨場感のある環境再現が可能であり、良好に補聴器の調整や聞こえ具合の検証を行うことができる。特に、方向性を考慮した調整も簡便に行うことができる。更に、外部入力端子を必要としないので、外部入力端子の有無にかかわらず、どのようなタイプの補聴器にも適用可能である。
【実施例２】
【００３３】
次に、本発明の実施例２について説明する。なお、上述した実施例１と対応する構成要素には同一の符号を用いることとする。この実施例２では、音声のみならず、画像も同時に表示される。図４に示すように、本実施例では、ハードディスク４０に、環境画像データベース５０が用意される。環境画像データベース５０は、上述した環境音データベース４２に含まれている環境音データファイルに対応する環境画像データファイルを蓄積したものである。例えば、環境音データファイルＦ13の会話と交通騒音の環境音に対して、車両が往来する交差点で話をする男女の画像を用意するという具合である。なお、環境画像データファイルは、環境音データファイルの各々に対して異なるものを用意してもよいし、複数の環境音データファイルに対して一つのものを共通に用意してもよい。また、ハードディスク４０には、環境画像再生プログラム５２が用意されている。この環境画像再生プログラム５２は、上述した環境音再生プログラム４４と連動して実行されるようになっている。
【００３４】
更に、本実施例では、防音室１０内にディスプレイ５４が装用者１６の正面側に設けられており、適宜のＩ／Ｆ５６を介して処理装置３２に接続されている。環境画像データベース５０から読み出された環境画像ファイルは、処理装置３２及びＩ／Ｆ５６を介してディスプレイ５４に供給され、環境画像が再生されるようになっている。
【００３５】
次に、本実施例の動作を説明する。例えば、上述した実施例１のように、環境音再生プログラム４４による環境音選択画面上で環境音データファイルＦ13が選択されたとする。すると、環境画像再生プログラム５２は、環境画像データベース５０から、該データファイルＦ13に対応する環境画像データファイルを抽出し、処理装置３２に送る。処理装置３２は、更に画像データをＩ／Ｆ５６を介してディスプレイ５４に出力する。これにより、スピーカ１２Ａ〜１２Ｄからは、交通騒音と会話の音声が装用者１６に提示されるとともに、ディスプレイ５４からは、車両が往来する交差点で話をする男女の画像が装用者１６に提示される。このため、装用者１６は、あたかも自分が交差点に立って車両の往来による交通雑音や男女の会話を聞いているかのような印象を受けるようになり、非常に臨場感のある状態で補聴器１４Ｒ，１４Ｌの調整を行うことが可能となる。
【００３６】
なお、本実施例では、ディスプレイ５４を装用者１６の正面に配置したが、左右の側面，更には上面や後面に配置するようにしてよい。また、ディスプレイ５４とスピーカ１２Ａ，１２Ｂを一体的に構成するようにしてもよい。更に、調整終了時に調整データ４８，例えば装用者１６の聴力図（オージオグラム）をディスプレイ５４に表示したり、環境音選択画面をディスプレイ５４に表示して、装用者１６自らが好みの環境音及び環境画像を再生して調整具合を検証するというような利用方法にも適用してよい。画像としては、動画でもよいし、静止画でもよい。スライドショーのようなものであってもよい。
【実施例３】
【００３７】
次に、本発明の実施例３について説明する。この実施例３は、難聴者の家族や縁者が、難聴者本人の聞こえ具合を体験するためのシミュレーションを行う例である。本実施例では、図１に示した難聴シミュレーションプログラム６０が実行される。難聴シミュレーションプログラム６０は、
（１）シミュレーション対象の難聴者のオージオグラム，すなわち聴力検査器（図示せず）によって測定した各周波数毎の音圧レベルの入力画面を表示する機能，
（２）環境音再生プログラム４４によって選択された環境音を、健常者が通常聞こえる音圧レベル，前記難聴者のオージオグラムが反映された音圧レベル，前記難聴者が補聴器を装用した場合に聞こえる音圧レベル，の３種類で再生する機能，
（３）前記３種類の音圧レベルの環境音のうちのいずれを再生するかを選択する画面を表示する機能，
（４）環境音の前記３種類の音圧レベルを、音声スペクトラムアナライザにより周波数スペクトラムとして表示・出力する機能，
を備えている。なお、難聴者が補聴器を装用した場合の音圧レベルは、上述した実施例１の調整データ４８を参照することで得ることができる。
【００３８】
本実施例によれば、まず、調整者は、ＰＣ３０で難聴シミュレーションプログラム６０を実行し、入力画面を表示して、シミュレーション対象となる難聴者のオージオグラムデータを入力する。その後、環境音再生プログラム４４を実行し、適宜の環境音データファイルを選択する。次に、調整者が、難聴シミュレーションプログラム６０により上述した３種類の音圧レベルのうちいずれか一つを選択すると、当該種類の音圧レベルにより、選択された環境音が再生される。このような手順を繰り返すことで、選択された環境音が、健常者の音圧レベル，難聴者のオージオグラムに基づく音圧レベル，難聴者の補聴器装用時の音圧レベルでそれぞれ再生される。難聴者の家族や縁者は、これらを防音室１０内で試聴することで、難聴者の難聴の程度がどのようなレベルなのか，それが補聴器によってどのように改善されるのかを、極めて簡便にシミュレートすることができる。
【００３９】
上記説明では、難聴者のオージオグラムのみを考慮したが、難聴者の語音明瞭度（語音弁別機能）も考慮した音圧レベルで会話や朗読などの話し声を再生することで、難聴者の言葉の聞き取りの程度もシミュレートすることができる。なお、語音明瞭度は、「ア」，「キ」，「シ」，「タ」，「ニ」などの単音節を２０程度呈示したときの正答率によって与えられる。呈示する音圧レベルによって異なる。
【００４０】
次に、調整者が、入力画面上で周波数スペクトル表示を選択すると、再生された環境音の音圧レベルの周波数スペクトラムが、表示装置３６上に表示される。必要があれば、前記３種類の音圧レベルが同時に画面上に表示される。すなわち、難聴者自身に対して、健常者，難聴者，難聴者の補聴器装用時のアナライザ出力，すなわち周波数スペクトラムの差異が表示される。これにより、難聴者は、自分が健常者より聴こえが低下していること，補聴器を装用することで健常者まで到達しないまでも聴こえが向上することを、視覚的に理解することができる。
【００４１】
また、例えば、高音域に大きな聴力損失があるような場合には、低音域及び中音域については通常会話を聴取可能な範囲まで改善できるが、高音域についてはそれが困難であることを難聴者に視覚的に説明することができる。更に、通常会話が聴取できる閾値を周波数スペクトラムのグラフ上に示すことにより、例えば、裸耳では通常会話の聴取が困難であるが、補聴器を装用することで通常会話の聴取が可能な閾値に達することを説明することもできる。もちろん、以上の点を、難聴者のみならず、その家族などに提示することで、家族も、それらの点を視覚的に理解することができる。なお、音圧レベルの周波数スペクトラムの表示を、図４に示したディスプレイ５４で行うようにしてもよいし、プリントアウトするようにしてもよい。
【００４２】
なお、本発明は、上述した実施例に限定されるものではなく、本発明の要旨を逸脱しない範囲内において種々変更を加え得ることができる。例えば、以下のものも含まれる。
【００４３】
（１）前記実施例で示したＰＣのシステム構成は一例であり、同様の作用を奏するように設計変更可能である。例えば、前記実施例では、データベースやプログラムをハードディスクに格納したが、ＤＶＤなどの記憶媒体に格納するようにしてもよいし、ネットワークを通じて提供するようにしてもよい。例えば、本店にサーバを設置し、支店にクライアントＰＣを設置し、本店のサーバからデータファイルやプログラムを支店のクライアントＰＣに提供するという具合である。
【００４４】
（２）前記実施例に示した環境音や環境画像も一例であり、必要に応じて更に多数の環境音や環境画像を用意してよい。前記実施例に示した防音室の構成も一例であり、例えば、更に多数のスピーカを用意する，照明を環境音に対応して変化させるなどである。
【産業上の利用可能性】
【００４５】
本発明によれば、外部入力端子がある補聴器のみならず、外部入力端子がない補聴器についても適用できる。また、装用者に対する音の方向性を考慮した調整が可能であり、特にデジタルタイプの補聴器の調整に効果的である。
【図面の簡単な説明】
【００４６】
【図１】本発明の実施例１及び実施例３の構成を示すブロック図である。
【図２】前記実施例１の環境音データベース４２の一例を示す説明図である。
【図３】前記実施例１による補聴器の調整手順を示す説明図である。
【図４】本発明の実施例２の構成を示すブロック図である。
【符号の説明】
【００４７】
１０：防音室
１２Ａ〜１２Ｄ：スピーカ
１４Ｒ，１４Ｌ：補聴器
１６：装用者
１８：オーディオアンプ
２０，２２：インターフェース
３０：ＰＣ（パソコン）
３２：処理装置
３４：入力装置
３６：表示装置
３８：出力装置
４０：ハードディスク
４２：環境音データベース
４４：環境音再生プログラム
４６：補聴器調整プログラム
４８：調整データ
５０：環境画像データベース
５２：環境画像再生プログラム
５４：ディスプレイ
５６：インターフェース
６０：難聴シミュレーションプログラム
Ｆ00〜Ｆ54：ファイル
【図１】
2005286876.tif 000003
【図２】
2005286876.tif 000004
【図３】
2005286876.tif 000005
【図４】
2005286876.tif 000006